(57)【特許請求の範囲】
【請求項１】
表示面の法線方向から見た形状が略四角形である表示素子と、
前記表示素子を駆動する駆動回路が形成された回路基板と、
前記表示素子と前記回路基板とを収納し、収納した前記表示素子の表示面を露出させる開口が形成されたケースと、
前記ケースの上面に固着され、前記開口を前記ケースの外側から覆う平板状の透明部材と、
前記表示素子と前記回路基板との間であって、前記表示素子の厚さ方向から見て前記表示素子の背面中央に配置した緩衝部材と、を備え、
前記表示素子の前記表示面の法線方向から見て、前記透明部材の少なくとも三つの辺が前記ケースの前記上面の端部に達し、
前記ケースは、少なくとも対向する一対の壁が前記ケースの外殻の一部によって構成され、その他の壁が前記ケース内に形成された仕切壁によって構成された、前記表示素子を収納する収納部を備え、前記法線方向から見て、前記表示素子の形状と、前記収納部の内周の形状とが、略同一であり、前記収納部の内周の角部の形状は凹んでおり、
前記ケースは、前記回路基板に当接して前記回路基板を押さえつける基板当接部をさらに備え、前記基板当接部の長手方向は、前記回路基板の長手方向と略平行である、
ことを特徴とするリモコン装置。
【請求項２】
前記三つの辺を含む前記透明部材の側面は、それぞれ、前記ケースの外面と略面一に形成されていることを特徴とする請求項１に記載のリモコン装置。
【請求項３】
前記透明部材は、貫通孔を有さないことを特徴とする請求項１又は２に記載のリモコン装置。
【請求項４】
前記透明部材と、前記ケースにおける前記開口の周縁部と、が固着されていることを特徴とする請求項１乃至３のいずれか１項に記載のリモコン装置。
【請求項５】
前記表示素子と前記回路基板との間の、前記表示素子の厚さ方向から見て前記緩衝部材と重ならない位置に配置され、前記表示素子と前記回路基板とによって挟まれて変形し、一端側の面が前記表示素子の端子と接触し他端側の面が前記回路基板の端子と接触して前記表示素子の端子と前記回路基板の端子とを電気的に接続する弾性導電部材をさらに備え、
前記緩衝部材は、前記表示素子と前記回路基板との間の、前記表示面の背面に配置され、
前記弾性導電部材が変形する前の状態、かつ、前記弾性導電部材の前記一端側の面を前記表示素子の前記端子に接触させた状態における前記表示素子の表示面から前記弾性導電部材の他端側の面までの長さが、前記弾性導電部材が変形する前の状態、かつ、前記緩衝部材を前記表示面の背面に配置した状態における前記表示素子の表示面から前記緩衝部材の前記表示素子側と反対側の面までの長さよりも長い、
ことを特徴とする請求項１に記載のリモコン装置。
【発明の詳細な説明】
【技術分野】
【０００１】
本発明は、リモコン装置に関する。
【背景技術】
【０００２】
従来からエアコン、テレビ、ビデオ等の電子機器を遠隔操作するためにリモコン装置が使用されている。リモコン装置は、人が持って使用することから、落下等による衝撃を受け易い。このため、表示素子が故障する等の問題が発生し易いという問題がある。一方で、リモコン装置は、小型軽量化が望まれている。このような問題を解決しうる一例として、特許文献１には、配線基板の上方に配置された液晶表示部の一辺を弾性コネクタで支持し、他辺側を弾性材料製のスイッチ操作部から延設された保持部で支持することによって、液晶表示部を押し上げて上ケースとの間で挟持させると共に、液晶表示部下方の空間部に電子回路部を配設した液晶表示部付電子機器が開示されている。
【先行技術文献】
【特許文献】
【０００３】
【特許文献１】特開２００１−１０８９６８号公報
【発明の概要】
【発明が解決しようとする課題】
【０００４】
しかし、特許文献１に記載の液晶表示部付電子機器では、スイッチ操作部から延設された保持部が液晶表示部の収納部を構成しており、その保持部はケースの外殻より内側に別途に形成されていたため、その内部構造が複雑になってしまうという問題があった。
【０００５】
本発明は上記点に鑑みてなされたものであり、その目的とするところは、簡単な構造で落下等の衝撃に対して耐衝撃性を有するリモコン装置を提供することにある。
【課題を解決するための手段】
【０００６】
本発明の第一の観点に係るリモコン装置は、
表示面の法線方向から見た形状が略四角形である表示素子と、
前記表示素子を駆動する駆動回路が形成された回路基板と、
前記表示素子と前記回路基板とを収納し、収納した前記表示素子の表示面を露出させる開口が形成されたケースと、
前記ケースの上面に固着され、前記開口を前記ケースの外側から覆う平板状の透明部材と、
前記表示素子と前記回路基板との間であって、前記表示素子の厚さ方向から見て前記表示素子の背面中央に配置した緩衝部材と、
を備え、
前記表示素子の前記表示面の法線方向から見て、前記透明部材の少なくとも三つの辺が前記ケースの前記上面の端部に達し、
前記ケースは、少なくとも対向する一対の壁が前記ケースの外殻の一部によって構成され、その他の壁が前記ケース内に形成された仕切壁によって構成された、前記表示素子を収納する収納部を備え、前記法線方向から見て、前記表示素子の形状と、前記収納部の内周の形状とが、略同一であり、前記収納部の内周の角部の形状は凹んでおり、
前記ケースは、前記回路基板に当接して前記回路基板を押さえつける基板当接部をさらに備え、前記基板当接部の長手方向は、前記回路基板の長手方向と略平行である、
ことを特徴とする。
【発明の効果】
【００１１】
本発明に係るリモコン装置は、簡単な構造で落下等の衝撃に対して耐衝撃性を有する。
【図面の簡単な説明】
【００１２】
【図１】本発明の一実施形態に係るリモコン装置の分解斜視図であり、斜め上方側から見た図である。
【図２】本発明の一実施形態に係るリモコン装置の分解斜視図であり、斜め下方側から見た図である。
【図３】本発明の一実施形態に係るリモコン装置の平面図である。
【図４】図３におけるＸ−Ｘ断面図である。
【図５】本発明の一実施形態に係るリモコン装置の上ケースを下方から見た図である。
【図６】本発明の一実施形態に係る上ケース内に液晶表示素子を配置した場合の、図５のＹ部を拡大した図である。
【図７】本発明の一実施形態に係る液晶表示素子の上下方向の長さと緩衝部材の上下方向の長さと弾性導電部材の上下方向の長さとを説明する断面図である。
【発明を実施するための形態】
【００１３】
本発明の実施形態について図面を参照して説明する。なお、本発明は下記の実施形態及び図面によって限定されるものではない。本発明の要旨を変更しない範囲で下記の実施形態及び図面に変更を加えることが出来るのはもちろんである。
【００１４】
本発明の実施形態に係るリモコン装置１０は、エアコン、テレビ、ビデオ等を遠隔操作するために使用される。リモコン装置１０は、図１及び図２に示すように、主として下ケース２０と、回路基板３０と、液晶表示素子４０と、ボタン５０と、上ケース６０と、前方透明保護部材７０と、後方透明保護部材８０と、ＬＥＤカバー２８と、から構成されている。
【００１５】
なお、下記の説明では、リモコン装置１０における、ＬＥＤカバー２８側を前方といい、その反対側を後方という。また、下記の説明では、リモコン装置１０における、透明保護部材７０，８０側を上方といい、その反対側を下方という。また、下記の説明では、平面形状とは、液晶表示面４１の法線方向から見た形状、つまり、上方又は下方から見た形状をいう。
【００１６】
ここで、リモコン装置１０は、上ケース６０と下ケース２０とを組み合わせることによって、ケースＡ（図４参照）が構成される。このケースＡの内部に、回路基板３０と、液晶表示素子４０と、ボタン５０と、ＬＥＤカバー２８と、が収納される。
【００１７】
下ケース２０は、上面を開口した合成樹脂製の箱体であり、前後方向に長く、略長方形である。
【００１８】
下ケース２０は、基板当接部２３を備えている。
【００１９】
基板当接部２３は、回路基板３０の下面に当接し、回路基板３０を上方向に押さえつける。基板当接部２３の回路基板３０と当接する部分は、回路基板３０の長手方向と略平行な方向に長尺な略矩形である。基板当接部２３は、後述する液晶表示素子４０の下方に位置するように形成されている。
【００２０】
回路基板３０は、ガラスエポキシ樹脂製であり、ケースＡ内に収納可能な大きさに形成されている。また、回路基板３０には、例えば、液晶表示素子４０を駆動する駆動回路、その他の回路（例えば接点３１を含む回路）、及び、ＣＰＵ等の素子が形成されている。駆動回路は、液晶表示素子４０と電気的に接続される端子３２ａ及び３２ｂを備える。また、回路基板３０は、前方に、ＬＥＤ３３を備えている。ＬＥＤ３３は、赤外線を発するように構成されている。
【００２１】
液晶表示素子４０は、上面に液晶表示面４１を備えている。また、図４に示すように、液晶表示素子４０は、回路基板３０の端子３２ａ，３２ｂと対向する位置に端子４２ａ，４３ａを備えている。液晶表示素子４０は、平面形状が略四角形である。
【００２２】
ボタン５０は硬質樹脂製であり、図１に示すように、ボタン本体５０ａと鍔部５０ｂとによって構成される。鍔部５０ｂは、上ケース６０のボタン孔６２の周縁部下面に当接し、ボタン５０が上ケース６０から飛び出すことを防止する。また、ボタン５０は、軟質材で形成されたボタンパッド５５の上に配置されている。ボタンパッド５５は、回路基板３０の上に配置されている。
【００２３】
ボタン５０が押下されると、ボタンパッド５５が押下されて変形し、ボタンパッド５５の裏面の導電部５６は、回路基板３０の上面に設けた接点３１と接触し、接点３１を短絡させる。ボタン５０を押下した力を取り除くと、ボタン５０は、ボタンパッド５５が有する弾性力で元の高さに回復する構造となっている。
【００２４】
上ケース６０は、下面を開口した合成樹脂製の箱体であり、前後方向に長く、略長方形である。
【００２５】
上ケース６０は、上面前方６６aに、ケースＡ内に収納される液晶表示素子４０の液晶表示面４１が露出する開口６３を備えている。開口６３は、枠部６４によって構成される。開口６３の輪郭形状は、液晶表示面４１の大きさよりも小さい。枠部６４は、開口６３の周縁部を構成し、所定の幅を有する。
【００２６】
また、上ケース６０は、上面後方６６ｂに、ボタン本体５０ａを露出させるボタン孔６２を備える。
【００２７】
上ケース６０の下面開口は、下ケース２０の上面開口とほぼ同じ大きさで形成され、上ケース６０は、下ケース２０と結合可能に形成されている。
【００２８】
前方透明保護部材７０は、透明な硬質樹脂（例えばアクリル樹脂）製の平板であり、ケースＡの上面（上ケース６０の上面）に固着され、開口６３及び枠部６４をケースＡの外側から覆う。
【００２９】
液晶表示素子４０の液晶表示面４１の法線方向から見て、前方透明保護部材７０の三つの辺がケースＡの上面の端部に達している。開口６３は、枠部６４（開口６３の周縁部）によって規定される。前方透明保護部材７０の三つの辺がケースＡの上面の端部に達すればよいので、前方透明保護部材７０は、開口６３以外の開口（例えば、開口６３よりも前方に位置する開口）を別に備えても良い。
【００３０】
前方透明保護部材７０によって、ケースＡにさらなる剛性が付加される。特に、前方透明保護部材７０の三つの辺がケースＡの上面の端部に達しているので、ケースＡを強固にできる。また、前方透明部材７０をケースＡに固着するだけなので、リモコン装置１０の構造も簡単である。このため、リモコン装置１０は、簡単な構造で耐衝撃性を有する。
【００３１】
さらに、このような前方透明保護部材７０によって、リモコン装置１０は耐衝撃性を有するので、液晶表示素子を収納部の壁とケースの外殻との二重構造にて保護していた従来の構造（上記特許文献１参照）を変更することができる。つまり、後述のように、液晶表素子４０の収納部の一部の壁をケースＡの外殻によって構成でき、液晶表示素子４０を一重構造でも保護できる。
【００３２】
前方透明保護部材７０は、上ケース６０の上面前方６６aに透明な粘着テープ７６を使用してケースＡの上面に固着されており、前方透明保護部材７０と、ケースＡにおける開口６３の周縁部（枠部６４）と、が固着されている。これにより、強度の弱い枠部６４を前方透明保護部材７０によって補強できるので、リモコン装置１０は、簡単な構造でより大きな耐衝撃性を有する。なお、前方透明保護部材７０は、接着剤など他の固着方法でケースＡの上面に固着されてもよい。
【００３３】
また、透明保護部材７０の左右側面７０ｂ、７０ｄおよび前側面７０ａは、上ケース６０の上面前方６６ａの端部まで達しており、上ケース６０の側面外壁６０ｂ、６０ｄおよび前面外壁６０ａと略面一となるよう構成されている。
【００３４】
透明保護部材７０の三つの辺を含む透明保護部材７０の側面は、それぞれ、ケースＡの外面と略面一である。これによって、周縁部を効果的に補強できるので、リモコン装置１０は簡単な構造で耐衝撃性を有する。
【００３５】
前方透明保護部材７０は、液晶表示面４１に接することなく、開口６３及び四方の枠部６４をケースＡの外側から（上方から）覆っている。また、前方透明保護部材７０は、ボタン５０と干渉しないための切欠部７１を有しているが、貫通孔を有していない。すなわち、前方透明保護部材７０は、表面（上面）及び裏面が全面において平坦（つまり、凹凸がなく）形成されている。前方透明保護部材７０が貫通孔を有する場合、前方透明保護部材７０が捩じれたりすると、この貫通孔から亀裂等が入ってしまう場合がある。つまり、前方透明保護部材７０が貫通孔を有する場合、前方透明保護部材７０の強度は低下する場合がある。前方透明保護部材７０は、貫通孔を有していないので、リモコン装置１０は簡単な構造で耐衝撃性を有する。
【００３６】
後方透明保護部材８０は、透明なアクリル樹脂製等の透明硬質樹脂性の平板であり、上ケース６０の上面後方６６ｂに透明な粘着テープ８６を使用して固着されている。後方透明保護部材８０の左右側面８０ｂ、８０ｄおよび後側面８０ｃは、上ケース６０の上面後方６６ｂの端部まで達しており、上ケース６０の側面外壁６０ｂ、６０ｄおよび外壁後面６０ｃと略面一となるよう構成されている。後方透明保護部材８０によっても、リモコン装置１０は簡単な構造で耐衝撃性を有する。
【００３７】
また、後方透明保護部材８０は、ボタン５０を露出させるためのボタン孔８２を有している。ボタン本体５０ａは、上ケース６０が有するボタン孔６２と、透明保護部材８０が有するボタン孔８２とを介して、後方透明保護部材８０から露出する。
【００３８】
ＬＥＤカバー２８は、リモコン装置１０の前側面に配置されている。ＬＥＤカバー２８は、回路基板３０に形成されているＬＥＤ３３等を覆い、ＬＥＤ３３が出射する光（例えば、制御用の赤外線）を透過する。ＬＥＤカバー２８は、下ケース２０の切欠部２１及び上ケース６０の切欠部６１によって形成される孔に嵌め込まれて固定される。
【００３９】
次に、リモコン装置１０の内部構成を説明する。リモコン装置１０の内部とは、下ケース２０と上ケース６０とで包囲された内部（つまりケースＡの内部）を言い、主として、回路基板３０と、弾性導電部材１１０ａ，１１０ｂと、緩衝部材１２０と、液晶表示素子４０と、基板押さえ１３０とで構成されている。
【００４０】
上ケース６０は、図５に示すように、下方から見ると、内部に液晶表示素子４０を配置可能（収納可能）な収納部６７を備えている。液晶表示素子４０の輪郭と、収納部６７の内周とは、平面形状が略同一（略四角形）に形成されている。収納部６７は、対向する側面外壁６０ｂ，６０ｄと、収納部６７を仕切るための仕切壁６７ａ，６８ａとで構成されている。収納部６７は、途中が途切れた壁を有しても良い（仕切壁６７ａ参照）。この場合の収納部６７の内周とは、例えば、途切れた壁同士を延長して繋げた場合に形成される内周をいう。収納部６７は、壁が途切れていないものであってもよい。開口６３は、四方の枠部６４で構成され、枠部６４は、収納部６７上方に庇状に形成されている。なお、収納部６７は、少なくとも対向する一対の壁がケースＡの外殻（例えば、側面外壁６０ｂ，６０ｄ）の一部によって構成され、その他の壁がケースＡ内に形成された仕切壁によって構成されればよく、例えば、仕切壁６７ａ又は６８ａをケースＡの外殻によって形成してもよい。このような収納部６７によって、液晶表示素子４０を大きくできたり、ケースＡを小さくしたりすることができる。
【００４１】
図５および図６に示すように、収納部６７を構成する側面外壁６０ｂ，６０ｄは、角部の薄肉部６０ｂａ，６０ｄａと、角部以外の厚肉部６０ｂｂ，６０ｄｂとで構成されている。また、仕切壁６７ａ，６８ａは、角部の薄肉部６７ａａ，６８ａａと、角部以外の厚肉部６７ａｂ，６８ａｂとで構成されている。側面外壁６０ｂ，６０ｄが厚肉に形成されている部分を有することによって、ケースＡは補強される。このため、リモコン装置１０は簡単な構造で耐衝撃性を有する。
【００４２】
また、図５のＹ部を拡大した図６に示すように、側面外壁６０ｄと仕切壁６７ａで構成する角部は、薄肉部６０ｄａと、薄肉部６７ａａとで構成されている。したがって、収納部６７に液晶表示素子４０（二点鎖線）を配置した場合、角部には、液晶表示素子４０の角４５が当接しない程度の凹部が形成されている。つまり、収納部６７の内周の角部の平面形状は凹んでいることになる。
【００４３】
ケースＡが歪んだりすると、収納部６７も歪む。このとき、収納部６７の内周の角部の平面形状が凹んでいないとすると、収納部６７内の液晶表示素子４０の角（平面形状における角）が最初に収納部６７の内壁面に当たってしまい、これによって、液晶表示素子４０は、破損してしまう場合がある。しかし、収納部６７の内周の角部の平面形状は凹んでいれば、液晶表示素子４０の角が収納部６７の内壁面に当たってしまうことを略防ぐことができる。これによって、リモコン装置１０は簡単な構造で耐衝撃性を有する。
【００４４】
次に、液晶表示素子４０と、緩衝部材１２０と、弾性導電部材１１０ａ，１１０ｂの上下方向の長さについて説明する。
【００４５】
液晶表示素子４０は、図７に示すように、上下方向の長さがｔ１で形成されている。また、液晶表示素子４０は鍔部４２，４３を備えている。鍔部４２，４３は上下方向の長さが異なっており、鍔部４２は長さｔ２、鍔部４３は長さｔ３で形成されている。
【００４６】
緩衝部材１２０は、ポリウレタン等のスポンジで構成されており、液晶表示素子４０の下、つまり、液晶表示素子４０と回路基板３０との間の、液晶表示面３０の背面に配置される。そして、緩衝部材１２０は、表示素子４０の厚さ方向から見て表示素子の背面中央に配置される。緩衝部材１２０は、表示素子４０の厚さ方向から見て表示素子の背面中央と重なっている。緩衝部材１２０は、上下方向（液晶表示素子４０の厚さ方向）の長さがｔ４で形成されている。この緩衝部材１２０により、液晶表示素子４０等が移動することによって、液晶表示素子４０に加わる衝撃等を吸収できる。このため、液晶表示素子４０を保護することができ、リモコン装置１０は簡単な構造で耐衝撃性を有する。
【００４７】
緩衝部材１２０の左右には、弾性導電部材１１０ａ，１１０ｂが配置されている。弾性導電部材１１０ａ，１１０ｂは、板状導電体をシリコンゴム等によって挟んで形成される。弾性導電部材１１０ａ，１１０ｂは弾性を有する。
【００４８】
弾性導電部材１１０ａ，１１０ｂは、液晶表示素子４０の鍔部４２，４３の下に配置されている。弾性導電部材１１０ａは上下方向の長さｔ５、弾性導電部材１１０ｂは上下方向の長さｔ６で形成されている。
【００４９】
弾性導電部材１１０ａ，１１０ｂは、液晶表示素子４０と回路基板３０との間の、前記液晶表示素子４０の厚さ方向から見て緩衝部材１２０と重ならない位置に配置されている。
【００５０】
液晶表示素子４０の長さｔ１と緩衝部材１２０の長さｔ４の和（ｔ１＋ｔ４）は、鍔部４２の長さｔ２と弾性導電部材１１０ａの長さｔ５の和Ｔａ（＝ｔ２＋ｔ５）及び鍔部４３の長さｔ３と弾性導電部材１１０ｂの長さｔ６の和Ｔｂ（＝ｔ３＋ｔ６）より小さく構成されている（（ｔ１＋ｔ４）＜Ｔａ，（ｔ１＋ｔ４）＜Ｔｂ）。
【００５１】
また、鍔部４２の長さｔ２と弾性導電部材１１０ａの長さｔ５の和Ｔａ（＝ｔ２＋ｔ５）は、鍔部４３の長さｔ３と弾性導電部材１１０ｂの長さｔ６の和Ｔｂ（＝ｔ３＋ｔ６）と等しく構成されている。（Ｔａ＝Ｔｂ）
【００５２】
弾性導電部材１１０ａ，１１０ｂと、緩衝部材１２０と、液晶表示素子４０と、は、図１等に示すように、基板押さえ１３０によって、回路基板３０と、上ケース６０の間に固定される。
【００５３】
基板押さえ１３０は、金属製のＬ字金具であり、回路基板３０の前後方向に長く形成され、弾性導電部材１１０ａ，１１０ｂより長く形成されている。基板押さえ１３０は、前後２ヶ所にネジ孔１３０ａ，１３０ｂを備えている。また、ネジ孔１３０ａ，１３０ｂは、上ケース６０のネジ孔６９ａ，６９ｂと対応した位置に形成されている。
【００５４】
ネジ孔６９ａ，６９ｂは、収納部６７の四隅、すなわち上ケース６０の側面外壁６０ｂ、６０ｄと、仕切壁６７ａ，６８ａとから構成される長方形の四隅近傍に形成されている。
【００５５】
弾性導電部材１１０ａ，１１０ｂと、緩衝部材１２０と、液晶表示素子４０とは、基板押さえ１３０のネジ孔１３０ａ，１３０ｂを挿通したネジ１３５を、ネジ孔６９ａ，６９ｂに螺合することで、回路基板３０と上ケース６０との間に固定される。
【００５６】
弾性導電部材１１０ａ，１１０ｂは、固定されたことにより、液晶表示素子４０の鍔部４２，４３と回路基板３０とによって挟まれ、変形した状態となっている。したがって、弾性導電部材１１０ａ，１１０ｂは、変形する前の状態における長さｔ５，ｔ６より、わずかに短くなっている。また、弾性導電部材１１０ａ，１１０ｂが固定されることによって、弾性導電部材１１０ａ，１１０ｂによって液晶表示素子４０が押さえつけられ、リモコン装置１０に衝撃が加わっても、移動しないか、殆ど移動しない。
【００５７】
また、弾性導電部材１１０ａ，１１０ｂの一端側の面（弾性導電部材１１０ａ，１１０ｂの導電部材）は、液晶表示素子４０の端子４２ａ，４３ａと接触し、他端側の面は、回路基板３０の端子３２ａ，３２ｂと接触する。この接触によって、弾性導電部材１１０ａ，１１０ｂは、液晶表示素子４０の端子４２ａ，４３ａと、回路基板３０の端子３２ａ，３２ｂとを電気的に接続する。
【００５８】
上述のように、弾性導電部材１１０ａ，１１０ｂが変形する前の状態、かつ、弾性導電部材１１０ａ，１１０ｂの一端側の面を液晶表示素子４０の端子４２ａ，４３ａに接触させた状態における液晶表示素子４０の液晶表示面４１から弾性導電部材１１０ａ，１１０ｂの他端側の面までの長さＴａ，Ｔｂが、弾性導電部材１１０ａ，１１０ｂが変形する前の状態、かつ、緩衝部材１２０を液晶表示面４１の背面に配置した状態における液晶表示素子４０の液晶表示面４１から緩衝部材１２０の液晶表示素子４０側と反対側の面までの長さ（ｔ１＋ｔ４）よりも長い。これによって、弾性導電部材１１０ａ，１１０ｂが液晶表示素子４０の鍔部４２，４３と回路基板３０とによって挟まれて変形しても、緩衝部材１２０が液晶表示素子４０と回路基板３０とによって挟まれて変形する（圧縮される）ことが無いか、変形の度合い（圧縮の度合い）を少なくすることができる。これによって、緩衝部材１２０の衝撃吸収力を保つことができるので、液晶表示素子４０を保護することができ、リモコン装置１０は簡単な構造で耐衝撃性を有する。
【００５９】
上ケース６０の開口部を下ケース２０で覆うことで、リモコン装置１０の内部は、下ケース２０と上ケース６０とで包囲される。下ケース２０と上ケース６０は、ネジなど、公知の手段で結合されて、組み合わされる。
【００６０】
以上のような構成としたので、リモコン装置１０は、強い衝撃に耐えうる構造となっている。また、液晶表示素子４０を収納している収納部６７の側壁は、上ケース６０の左右の側面外壁６０ｂと６０ｄとで構成している。その結果、従来のリモコン装置より上枠６４を狭くすることができ、液晶表示面４１を大きく露出でき、見栄えを向上させることができる。
【００６１】
なお、回路基板３０上に形成される回路等は、回路基板３０の長手方向に沿って配置されていくことが多い。このため、上記で説明したように、基板当接部２３の長手方向が回路基板３０の長手方向と略平行であることによって、基板当接部２３が回路基板３０上の回路等に当接する等して、回路等を傷つけることを防止又は軽減できる。また、基板当接部２３が回路基板３０を押さえつけることによって、回路基板３０等を介して液晶表示素子４０が移動しないように固定される。このため、リモコン装置１０に衝撃が加わっても液晶表示素子４０が移動せず又は殆ど移動せず、液晶表示素子４０の破損を防ぐことができる。また、基板当接部２３は、その構造も簡単なものである。基板当接部２３によって、リモコン装置１０は簡単な構造で耐衝撃性を有する。
【００６２】
（変形例）
なお、本発明は前記の実施の形態に限定されるものではなく、種々の変形および応用が可能である。
【００６３】
例えば、前記実施形態において、表示素子を液晶表示素子としたが、これに限られるものではなく、ガラス基板を用いた表示素子であればよい。例えば、有機ＥＬを用いた表示素子であってもよい。
【００６４】
また、例えば、前記実施形態において、収納部の内周の角部に形成された凹部を、側面及び仕切壁に薄肉部を形成することにより略Ｌ字型に形成したが、これに限られるものではなく、表示素子の角が当たらなければ、他の形状でもよい。例えば、凹部が円形であってもよい。
【符号の説明】
【００６５】
１０        リモコン装置
２０        下ケース
２３        基板当接部
２８        ＬＥＤカバー
３０        回路基板
３１        接点
３２ａ      端子
３２ｂ      端子
４０        液晶表示素子
４１        液晶表示面
４２        鍔部
４２ａ      端子
４３        鍔部
４３ａ      端子
５０        ボタン
５６        導電部
６０        上ケース
６０ｂ      側面外壁
６０ｄ      側面外壁
６３        開口
６４        枠部
６６ａ      上面前方
６６ｂ      上面後方
６７        収納部
６７ａ      仕切壁
６８ａ      仕切壁
７０        前方透明保護部材
８０        後方透明保護部材
１１０ａ    弾性導電部材
１１０ｂ    弾性導電部材
１２０      緩衝部材
１３０      基板押さえ
【図１】
0005526676.tif 000002
【図２】
0005526676.tif 000003
【図３】
0005526676.tif 000004
【図４】
0005526676.tif 000005
【図５】
0005526676.tif 000006
【図６】
0005526676.tif 000007
【図７】
0005526676.tif 000008